(57)【要約】【課題】  物品に取り付けられたＲＦＩＤタグが、収納部における電磁遮蔽材側に近接された状態で収納された場合であっても、物品に取り付けられたＲＦＩＤタグの物品情報を含む電磁波を、電磁遮蔽材から影響を受けることなく読出装置に受信させ、正常に物品情報を読出可能な什器を提供すること。【解決手段】  引き出し２０２が前方の前面板２０２ｄ、後方の後面板２０２ａ、左右の側面板２０２ｂ，２０２ｃ、および底板２０２ｅからなる上部が開口された電磁遮蔽材で構成された矩形体で形成されるとともに、読出装置４４、４４’は引き出し２０２の収納部２１０ａ、２１０ｂに、前記電磁遮蔽材から所定間隔以上離間させて配設され、且つ物品１４に付けられたＲＦＩＤタグ３０と略同方向をなす電磁遮蔽材２０２ｂ，２０２ｃと前記物品１４との間に、非電磁遮蔽材からなる所定間隔幅（Ｌ４）以上のスペーサ４９，４９’が設けられている。【選択図】  図３
2006219249.tif 000002
【特許請求の範囲】
【請求項１】
ＲＦＩＤタグが取り付けられた物品が収納可能になっている収納部を備え、該収納部には物品情報が記録された前記ＲＦＩＤタグの情報を読み出す読出装置が備えられる什器であって、前記収納部は電磁遮蔽材によって構成されるとともに、前記読出装置は、前記電磁遮蔽材から前記収納部に所定間隔以上離間させて配設され、且つ前記ＲＦＩＤタグと略同方向をなす前記収納部における電磁遮蔽材と前記物品との間に、非電磁遮蔽材からなる前記所定間隔幅以上のスペーサを設けたことを特徴とする物品情報の読出装置を備える什器。
【請求項２】
前記スペーサには、前記収納部側に前記物品の出し入れ方向に沿って延設されたリブが複数設けられている請求項１に記載の物品情報の読出装置を備える什器。
【請求項３】
前記スペーサには、前記物品が収納された収納部の場所を報知可能な報知手段が設けられている請求項１または２に記載の物品情報の読出装置を備える什器。
【請求項４】
前記報知手段をランプをとした請求項３に記載の物品情報の読出装置を備える什器。
【請求項５】
前記ＲＦＩＤタグと略垂直方向をなす前記収納部における電磁遮蔽材から、前記ＲＦＩＤタグを所定間隔以上離間するようにして前記物品に取り付けた請求項１乃至４のいずれかに記載の物品情報の読出装置を備える什器。
【発明の詳細な説明】
【技術分野】
【０００１】
本発明は、物品情報が記録されたＲＦＩＤタグの情報を読出可能な読出装置を備える什器に関する。
【背景技術】
【０００２】
近年、什器に収納された物品の収納状態を管理するために、各物品に物品情報が記録されたＲＦＩＤタグを取り付け、ＲＦＩＤタグの情報を読出装置で読み出し、この読み出した情報に基づいて各物品の収納状態を管理するものが種々に開発されている。尚、ＲＦＩＤ（Ｒａｄｉｏ Ｆｒｅｑｕｅｎｃｙ ＩＤｅｎｔｉｆｉｃａｔｉｏｎ、無線による識別）タグとは、記憶部を有するＩＣチップと、記憶部に記憶された情報を送受信可能な無線アンテナと、からなる。
【０００３】
この一例として、什器内に収納される物品のＲＦＩＤタグに記録される物品情報を什器の棚板に配設した読出装置によって読み出し、この読み出した物品情報に基づいて物品の管理を行うことが出来るようにした什器がある（特許文献１参照）。
【０００４】
また、仕切棚板で上下に区画された什器内を管理するものとして、開閉扉の裏面には収納区画毎に対応させて読出装置（ＲＦＩＤアンテナ）が取り付けられており、区画毎に収納された複数の物品のＲＦＩＤタグを一括して読出装置で読出し可能になっているものもある（例えば、特許文献２参照）。
【０００５】
【特許文献１】特開平７−１８２３５７号公報（段落００１１−００２２、図１〜３）
【特許文献２】特開２００４−２５０９５２号公報（段落００２５、図２）
【発明の開示】
【発明が解決しようとする課題】
【０００６】
しかしながら、上記文献１のように什器側で物品情報を読み出すものにおいて、例えば、什器の一部が金属等の電磁遮蔽材（ＥＭＳ材）で構成されている場合には、この電磁遮蔽材の近傍に読出装置が配設された場合に、読出装置のＲＦＩＤアンテナから発生される電磁波の磁界の向きに対して、電磁遮蔽材からは磁界が逆向きに発生されることで、読出装置からの電磁波が電磁遮蔽材によって影響され、正常な読み出しができない恐れがあった。
【０００７】
また、特許文献２のように開閉扉側に設けられた読出装置でＲＦＩＤタグ情報を読み出す場合にも、什器は電磁遮蔽材で構成されていることから、物品に取り付けられたＲＦＩＤタグの位置が電磁遮蔽材の近くにある場合（例えば、什器の両側板に隣接して物品が載置された状態）に、読出装置からの電磁波が電磁遮蔽材によって影響を受けＲＦＩＤタグに起電力が発生しにくくなり、ＲＦＩＤタグに記録される物品情報を含む電磁波の読み取りに不具合を生じることがあった。
【０００８】
本発明は、このような問題点に着目してなされたもので、物品に取り付けられたＲＦＩＤタグが、収納部における電磁遮蔽材側に近接された状態で収納された場合であっても、物品に取り付けられたＲＦＩＤタグの物品情報を含む電磁波を、電磁遮蔽材から影響を受けることなく読出装置に受信させ、正常に物品情報を読出可能な什器を提供することを目的とする。
【課題を解決するための手段】
【０００９】
上記課題を解決するために、本発明の請求項１に記載の物品情報の読出装置を備える什器は、ＲＦＩＤタグが取り付けられた物品が収納可能になっている収納部を備え、該収納部には物品情報が記録された前記ＲＦＩＤタグの情報を読み出す読出装置が備えられる什器であって、前記収納部は電磁遮蔽材によって構成されるとともに、前記読出装置は、前記電磁遮蔽材から前記収納部に所定間隔以上離間させて配設され、且つ前記ＲＦＩＤタグと略同方向をなす前記収納部における電磁遮蔽材と前記物品との間に、非電磁遮蔽材からなる前記所定間隔幅以上のスペーサを設けたことを特徴としている。
この特徴によれば、ＲＦＩＤタグと略同方向をなす収納部における電磁遮蔽材に近接して物品が収納された場合であっても、非電磁遮蔽材からなるスペーサによって、電磁遮蔽材と物品との間が常に所定間隔以上離間されるので、読出装置からの電磁波を電磁遮蔽材に影響されることなくＲＦＩＤタグに受信させ、ＲＦＩＤタグからの電磁波を電磁遮蔽材に影響されることなく読出装置に受信させることができる。
【００１０】
本発明の請求項２に記載の物品情報の読出装置を備える什器は、請求項１に記載の物品情報の読出装置を備える什器であって、前記スペーサには、前記収納部側に前記物品の出し入れ方向に沿って延設されたリブが複数設けられていることを特徴としている。
この特徴によれば、スペーサに隣接して収納される物品と、スペーサとの当接面がリブとなるので、摩擦抵抗力を極力低減させて物品を円滑に収納あるいは取り出しができる。さらに、スペーサに隣接して収納された物品とスペーサの各リブとの間に、物品の出し入れ方向に沿った隙間が形成されるため、この間隙に指を入れてスペーサの隣に置かれた物品の取り出しを容易に行なうことができる。
【００１１】
本発明の請求項３に記載の物品情報の読出装置を備える什器は、請求項１または２に記載の物品情報の読出装置を備える什器であって、前記スペーサには、前記物品が収納された収納部の場所を報知可能な報知手段が設けられていることを特徴としている。
この特徴によれば、収納部の場所を報知装置によって特定することができ、電磁遮蔽材と物品を離間したスペーサの間隔幅を無駄にすることなく有効活用できる。
【００１２】
本発明の請求項４に記載の物品情報の読出装置を備える什器は、請求項３に記載の物品情報の読出装置を備える什器であって、前記報知手段をランプをとしたことを特徴としている。
この特徴によれば、利用者はランプによる表示効果によって一目で視認することができ、容易に物品の収納部を特定することができる。
【００１３】
本発明の請求項５に記載の物品情報の読出装置を備える什器は、請求項１乃至４のいずれかに記載の物品情報の読出装置を備える什器であって、前記ＲＦＩＤタグと略垂直方向をなす前記収納部における電磁遮蔽材から、前記ＲＦＩＤタグを所定間隔以上離間するようにして前記物品に取り付けたことを特徴としている。
この特徴によれば、収納部に物品が収納された際にＲＦＩＤタグは、該ＲＦＩＤタグと略垂直方向をなす収納部における電磁遮蔽材から常に所定間隔以上離間され、読出装置とＲＦＩＤタグの電磁波の送受信に不具合を生じさせることはないので、物品に取り付けられるＲＦＩＤタグを少なくとも一つ取り付けるだけで十分となりコストの低減を図れる。
【発明を実施するための最良の形態】
【００１４】
本発明の実施例を以下に説明する。
【実施例】
【００１５】
図１は、本発明の実施例における書庫付き什器が適用された物品管理システムの構成を示すブロック図および什器群の斜視図であり、図２（ａ）は、什器から引き出された引き出しを示す組立分解斜視図であり、図２（ｂ）は、組み立て完成後の引き出しと、引き出しに収納される物品を示す斜視図であり、図３は、什器本体および引き出しの平面断面図であり、図４は、書庫の全体を示す正面図であり、図５（ａ）は、書庫の下棚収納部の組立分解斜視図であり、図５（ｂ）は、組み立て完成後の下棚収納部と、下棚収納部に収納される物品を示す斜視図であり、図６は、書庫の下棚収納部を示す平面断面図である。なお、以下の本実施例の説明において、什器の正面側を前方をとし、什器の背面側を後方として説明する。
【００１６】
図１に示されるように什器１は、上部にラテラル式の書庫１００を備えた書庫付き什器であって、本実施例では３台設置されており書籍やバインダー、ファイルケース等の物品を複数収納可能になっている。これらの什器１側からは各種信号の送受信を行う信号ケーブルと、電力を供給する給電ケーブルと、を含む通信ケーブル２が延設され、一部の什器１に備えられたチューナー等の中継装置１１に接続されており、この中継装置１１は通信ケーブル２を介して什器アンテナ１０に接続されている。
【００１７】
物品管理システムの管理や運用を行う管理コンピュータ３と、この管理コンピュータ３のデータ入出力やデータ表示を行う入力端末４とが、ＬＡＮケーブル８を介して（本実施例ではＬＡＮを介して）相互接続されるとともに、通信ケーブル２を介して管理アンテナ９に接続されている。
【００１８】
一方、入力端末４は通信ケーブル２を介して、物品７に貼付または利用者認証カード６に内蔵されるＲＦＩＤタグからの電磁波を受信可能なＲＦＩＤリーダ／ライタ５に接続されている。什器アンテナ１０と管理アンテナ９とは、無線によって相互接続されており、種々のデータの送受信が行えるようになっている。
【００１９】
什器１は従来公知のラテラル式の什器２００の上部に書庫１００を載置した構成となっており、書庫１００には棚板２５で区画された上棚収納部１０１と下棚収納部１０２が形成され、什器２００には引き出し２０１、２０２、２０３、２０４が備えられており、これらの収納部にファイルやカルテ等の書類を収納するファイルケース等の物品７が収納されている。
【００２０】
書庫１００の上棚収納部１０１と下棚収納部１０２の内部には、読出装置としてのＲＦＩＤアンテナが配設されており、ＲＦＩＤタグからの物品情報を含む電磁波を受信可能になっている。さらに、什器２００の引き出し２０１、２０２、２０３、２０４の内部にも、読出装置としてのＲＦＩＤアンテナが配設されており、ＲＦＩＤタグからの物品情報を含む電磁波を受信可能になっている。
【００２１】
ＲＦＩＤアンテナは通信ケーブル２に接続され、中継装置１１、什器アンテナ１０、管理アンテナ９を介して、管理コンピュータ３に接続されており、これら上棚収納部１０１および下棚収納部１０２と、引き出し２０１、２０２、２０３、２０４に収納されるＲＦＩＤタグの物品情報のデータが管理コンピュータ３に送信されることで、管理コンピュータ３で上棚収納部１０１と下棚収納部１０２と、複数の引き出し２０１、２０２、２０３、２０４に収納される物品の管理を一元的に行えるようになっている。
【００２２】
什器２００には、解錠ランプ２１５、施解錠装置２１７、スピーカ２１６が設けられ、各引き出し２０１、２０２、２０３、２０４の後述する収納部に対応して、取手２２０の中央位置に引出し指示ランプ２１１、２１２、２１３、２１４が設けられている。これら引出し指示ランプ２１１、２１２、２１３、２１４は、前述のＲＦＩＤアンテナと同様に通信ケーブル２に接続され、中継装置１１、什器アンテナ１０、管理アンテナ９を介して、管理コンピュータ３に接続されており、管理コンピュータ３で一元的に引出し指示ランプ（２１１〜２１４）の点灯、消灯または点滅を制御可能になっている。
【００２３】
つまり、管理コンピュータ３からの制御データに基づいて、これら指示ランプの点灯消灯が制御され、例えば、引出し指示ランプ２１２の点灯に基づいて、引き出し２０２の場所を利用者に報知可能な構成になっている。なお、引き出し２０１、２０２、２０３、２０４の各収納部は物品が複数収納され、後述するバインダーや、ファイルケース等が収納されており、多くの各種書類を保管可能になっている。これら物品には個々に後述のＲＦＩＤタグが取り付けられている。
【００２４】
なお、本実施例のＲＦＩＤアンテナと、物品情報が記録されたＲＦＩＤタグには、それぞれ環状のコイル型のアンテナを用いており、ＲＦＩＤアンテナとＲＦＩＤタグのコイル間に誘導されて発生する磁束を利用した電磁誘導方式により交信を行うようになっている。
【００２５】
このＲＦＩＤアンテナの読み出し周波数は、電磁誘導方式の長波帯（〜１３５ｋＨｚ）の周波数（本実施例においては１２５ｋＨｚ）を用いているが、本発明は、例えば、電磁誘導方式の短波帯（１３．５６ＭＨｚ）や、マイクロ波帯の電波を利用した電波方式のマイクロ波帯（２．４５ＧＨｚ）や、ＵＨＦ帯（９５０ＭＨｚ〜９５６ＭＨｚ）等を利用することもでき、棚に載置される物品の形状や交信距離にあわせて、より理想的な環境下に適合した最適な方式と周波数のＲＦＩＤアンテナと、該ＲＦＩＤアンテナと交信可能なＲＦＩＤタグを適宜利用するようにすれば良い。
【００２６】
次に、ＲＦＩＤアンテナが配設された引き出し２０２の構造と、ＲＦＩＤアンテナとＲＦＩＤタグの関係を、図２および図３を用いてさらに詳述して説明する。なお、引き出し２０１、２０３、２０４の構造も引き出し２０２と同様のため説明を割愛する。
【００２７】
図２（ａ）に示されるように、引き出し２０２は取手２２０および引出し指示ランプ２１２が設けられた前方の前面板２０２ｄ、後方の後面板２０２ａ、左右の側面板２０２ｂ，２０２ｃ、および底板２０２ｅからなる上部が開口された電磁遮蔽材で構成された矩形体で形成され、後述のファイルケース１４等を収納できる収納部２１０が形成されている。左側面板２０２ｂおよび右側面板２０２ｃの外面下部位置には、前後に向けて嵌合レール２２７が延設されている。
【００２８】
収納部２１０の内周面には、左側面板２０２ｂに沿うように非電磁遮蔽材であるプラスチック製の樹脂材で形成された側部スペーサ４９を、矢印に示される方向に向けて底板２０２ｅに載置させ、接着材等で固着させることで取り付け可能になっており、同様にして、右側面板２０２ｃの内周面に沿うように非電磁遮蔽材である側部スペーサ４９’を矢印に示される方向に向けて取り付け可能になっている。
【００２９】
側部スペーサ４９，４９’の収納部２１０側に向く側面には、前後所定間隔でリブ４９ｂ，４９ｂ’が上下方向に向けて複数（本実施例では４本）延設されており、側部スペーサ４９，４９’の前後中央位置の上部には収納部指示ランプ４９ａ，４９ａ’を備えた表示部４９ｃ，４９ｃ’が形成されている。この収納部指示ランプ４９ａ，４９ａ’には通信ケーブル２が接続されている。
【００３０】
また、側部スペーサ４９，４９’の後面板２０２ａおよび左右の側面板２０２ｂ，２０２ｃおよび前面板２０２ｄに沿う面には、配線溝４９ｄ，４９ｄ’が形成されており、収納部指示ランプ４９ａ，４９ａ’や、引出し指示ランプ２１２に接続された通信ケーブル２が配線可能になっている。
【００３１】
次いで、収納部２１０の左右の中間位置には、非電磁遮蔽材であるプラスチック製の樹脂材で形成されたアンテナユニット４３を前後長手方向に向けて、矢印に示される方向に移動させながら、底板２０２ｅに載置させ取り付け可能になっている。このアンテナユニット４３の内部には、左右に離間された状態で読出装置であるＲＦＩＤアンテナ４４，４４’が２枚の設けられ、両ＲＦＩＤアンテナ４４，４４’に通信ケーブル２が接続部４７を介して接続されている。
【００３２】
アンテナユニット４３の後端上部には配線溝４３ａが形成され、ＲＦＩＤアンテナ４４，４４’に接続された複数の通信ケーブル２を上部に配線可能になっており、アンテナユニット４３の後端側部には配線溝４３ａ’が形成されて、収納部指示ランプ４９ａ，４９ａ’や引き出し指示ランプ２１２、ＲＦＩＤアンテナ４４，４４’に接続された複数の通信ケーブル２が配線可能になっている。
【００３３】
ＲＦＩＤアンテナ４４，４４’の取り付け位置について、ＲＦＩＤアンテナ４４’を例に示して簡単に説明すると、アンテナユニット４３を収納部２１０に取り付けた際に、アンテナユニット４３におけるＲＦＩＤアンテナ４４’の配設位置は、前面板２０２ｄから前後方向に所定間隔（Ｌ１）離間させ、後面板２０２ａから前後方向に所定間隔（Ｌ２）離間させ、底板２０２ｅから上下方向に所定間隔（Ｌ３）離間させるように配置されている。
【００３４】
なお、ＲＦＩＤアンテナと電磁遮蔽材との間隔については、ＲＦＩＤアンテナからの電磁波を電磁遮蔽材から影響されることなく、後述のファイルケースに取り付けられたＲＦＩＤタグに受信させ、ＲＦＩＤタグからの電磁波を電磁遮蔽材から影響されることなくＲＦＩＤアンテナに受信させるために、少なくともＲＦＩＤアンテナと電磁遮蔽材との間隔を４０ｍｍ以上離間させることが好ましいことが実験的に検証されている。
【００３５】
そこで、本実施例においては、ＲＦＩＤアンテナ４４’と前面板２０２ｄの間隔（Ｌ１）を５０ｍｍとし、ＲＦＩＤアンテナ４４’と後面板２０２ａの間隔（Ｌ２）を５０ｍｍとし、ＲＦＩＤアンテナ４４’と底板２０２ｅの間隔（Ｌ３）を５０ｍｍとした。なお、ＲＦＩＤアンテナ４４と電磁遮蔽材についても同様に所定間隔以上離間されている。
【００３６】
これらアンテナユニット４３および左右の側部スペーサ４９，４９’を引き出し２０２に取り付けた完成図が図２（ｂ）に示されており、引き出し２０２内部の収納部２１０がアンテナユニット４３で左右に２分割され、左収納部２１０ａと右収納部２１０ｂに区画されている。この左収納部２１０ａと右収納部２１０ｂにはファイルケース１４等の物品を収納可能になっている。そしてこの側部スペーサ４９，４９’は所定間幅（Ｌ４）以上の厚みを有している（図３参照）
【００３７】
収納部指示ランプ４９ｂ，４９ｂ’に接続された通信ケーブル２は、側部スペーサ４９，４９’の配線溝４９ｄ、４９ｄ’を介して、さらに後面板２０２ａに沿って配線溝４３ａ’、配線溝４３ａから外部に延設されて、中継装置１１（図１参照）に接続されることで制御されている。同様にして引出し指示ランプ２１２に接続された通信ケーブル２は、前面板２０２ｄの裏面に沿って配線され、側部スペーサ４９の配線溝４９ｄに沿って配線されている。
【００３８】
ファイルケース１４の側面一方側には、このファイルケース１４を引き出し２０２内に収納させた際に、ＲＦＩＤタグ３０が電磁遮蔽材である左側面板２０２ｂおよび右側面板２０２ｃの面と略同方向となり、且つ電磁遮蔽材である後面板２０２ａおよび前面板２０２ｄ、底板２０２ｅの面と略垂直方向となるように取り付けられている。
【００３９】
さらに、このＲＦＩＤタグ３０の取付位置はファイルケース１４の底面から上方に向けて、所定間隔（Ｌ０）以上離間されるとともに、前後方向の中央位置に取り付けられている。このファイルケース１４は矢印に示されるように移動させ、左収納部２１０ａまたは右収納部２１０ｂに分けて収納可能になっている。
【００４０】
このように、ＲＦＩＤタグ３０の取り付け位置をファイルケース１４の底面から所定間隔（Ｌ０）以上離間して配置したことで、電磁遮蔽材である底板２０２ｅからの影響を受けることなく、ＲＦＩＤタグ３０とＲＦＩＤアンテナ４４，４４’の送受信がより正確に行われる。
【００４１】
なお、ＲＦＩＤタグと電磁遮蔽材との間隔については、ＲＦＩＤアンテナからの電磁波を電磁遮蔽材から影響されることなくＲＦＩＤタグに受信させ、ＲＦＩＤタグからの電磁波を電磁遮蔽材から影響されることなくＲＦＩＤアンテナに受信させるために、少なくともＲＦＩＤタグと電磁遮蔽材（底板２０２ｅ）との間隔を４０ｍｍ以上離間させることが好ましいことが実験的に検証されている。そこで、本実施例においては、バインダー１４に配設されるＲＦＩＤタグ３０と底板２０２ｅの間隔（Ｌ０）を５０ｍｍとした。
【００４２】
つづいて、図３に示されるように、什器本体１ａの左右の側面板１９，１９には前後方向に向けて案内レール２２６，２２６が延設されており、引き出し２０２の左側面板２０２ｂおよび右側面板２０２ｃに形成された嵌合レール２２７を案内レール２２６，２２６に摺動可能に嵌合させることで、引き出し２０２が什器本体１ａの内部である引き出し収納庫２００ａに収納あるいは引き出される構成になっている。
【００４３】
引き出し２０２は、アンテナユニット４３によって左収納部２１０ａと右収納部２１０ｂに区画され、ＲＦＩＤタグ３０が取り付けられたファイルケース１４が複数収納されている。アンテナユニット４３の内部構造はＲＦＩＤアンテナ４４とＲＦＩＤアンテナ４４’と、この両ＲＦＩＤアンテナ４４，４４’の間に電磁波干渉防止部材である磁性体２１が介挿され多層状に配設されており、これらが非電磁遮蔽材であるプラスチック樹脂材で囲繞されることで構成されている。
【００４４】
この磁性体２１は、電磁遮蔽材から発生する磁界が左右のＲＦＩＤアンテナ４４、４４’から発生する電磁波に与える影響を防ぐとともに、隣接するＲＦＩＤアンテナ４４、４４’の電磁波を互いに干渉させない特性を有している。このことから、左収納部２１０ａに収納されるＲＦＩＤタグ３０の物品情報をＲＦＩＤアンテナ４４で、右収納部２１０ｂに収納されるＲＦＩＤタグ３０の物品情報をＲＦＩＤアンテナ４４’で、区画毎に受信させる構成となっている。
【００４５】
したがって、管理コンピュータ３（図１参照）に該当するファイルケース１４が、例えば左収納部２１０ａまたは右収納部２１０ｂに収納されている場合には、引出し指示ランプ２１２が点灯制御されることによって引き出し２０２を特定させることができる。
【００４６】
そして、この引き出し２０２を引き出し収納庫２００ａから引き出した場合に、例えばファイルケース１４が左収納部２１０ａに収納されていれば、左側面板２０２ｂに取り付けられた側部スペーサ４９の収納部指示ランプ４９ａが点灯制御される。これにより、利用者に収納部指示ランプ４９ａ，４９ａ’による表示効果（点灯および点滅）によって一目で視認させ、該当するファイルケース１４を容易に見つけ出させることが可能な物品管理システムとなっている。
【００４７】
この引き出し２０２の左収納部２１０ａおよび右収納部２１０ｂのいずれの位置にファイルケース１４を収納させた場合であっても、側部スペーサ４９，４９’が非電磁遮蔽材からなる所定間幅（Ｌ４）以上の厚みを有しているので、ファイルケース１４は電磁遮蔽材である左右の側面板２０２ｂ，２０２ｃから、常に左右方向に所定間隔（Ｌ４）以上離間された状態で収納される構成になっている。なお、ＲＦＩＤタグ３０と電磁遮蔽材（側面板２０２ｂ，２０２ｃ）との間隔についても、４０ｍｍ以上離間させることが好ましいことが実験的に検証されているので、ＲＦＩＤタグ３０と側面板２０２ｂ，２０２ｃとの間隔（Ｌ４）を５０ｍｍとした。
【００４８】
このことから、ＲＦＩＤタグ３０と略同方向をなす電磁遮蔽材である左側面板２０２ｂおよび右側面板２０２ｃに近接して、物品であるファイルケース１４が収納された場合であっても、非電磁遮蔽材からなる左右の側部スペーサ４９，４９’によって、左側面板２０２ｂおよび右側面板２０２ｃとファイルケース１４との間が常に所定間隔（Ｌ４）以上離間されるため、読出装置であるＲＦＩＤアンテナ４４，４４’からの電磁波を左側面板２０２ｂおよび右側面板２０２ｃに影響されることなく、ファイルケース１４に設けられたＲＦＩＤタグ３０に受信させ、ＲＦＩＤタグ３０からの電磁波をＲＦＩＤアンテナ４４，４４’に受信させることができる。
【００４９】
さらに、両側部スペーサ４９，４９’の収納部２１０ａ，２１０ｂ側には、ファイルケース１４の上下の出し入れ方向に沿って、リブ４９ｂ，４９ｂ’が複数延設されているので、両側部スペーサ４９，４９’に隣接して収納されるファイルケース１４は、両側部スペーサ４９，４９’のリブ４９ｂ，４９ｂ’と当接するので、摩擦抵抗力を極力低減させてファイルケース１４を円滑に収納又は取り出し可能となる。
【００５０】
しかも、両側部スペーサ４９，４９’に隣接して収納されたファイルケース１４と、両側部スペーサ４９，４９’の各リブ４９ｂ，４９ｂ’との間に、ファイルケース１４の出し入れ方向に沿った隙間が形成されるため、この間隙に指を入れ両側部スペーサ４９，４９’の隣に置かれたファイルケース１４の取り出しを容易に行なうことができる。
【００５１】
また、左右の側部スペーサ４９，４９’の上部に形成された表示部４９ｃ，４９ｃ’に表示装置である収納部指示ランプ４９ａ，４９ａ’を設けることで、ファイルケース１４が収納される場所を容易に特定することができるとともに、左右の収納部２１０ａ，２１０ｂの一部を占有する側部スペーサ４９，４９’の間隔幅（Ｌ４）を無駄にすることなく有効活用できる。
【００５２】
以上の説明から、左右の収納部２１０ａ，２１０ｂのいずれの収納部２１０にファイルケース１４を収納した場合でも、常にＲＦＩＤタグ３０は、該ＲＦＩＤタグ３０と同方向をなす左側面板２０２ｂ，右側面板２０２ｃから所定間隔（Ｌ４）以上離間され、ＲＦＩＤタグ３０と略垂直方向をなす前面板２０２ａ，後面板２０２ｄ，底板２０２ｅから所定間隔（Ｌ１，Ｌ２，Ｌ０）以上離間されるので、ＲＦＩＤアンテナ４４，４４’とＲＦＩＤタグ３０の電磁波の送受信に不具合を生じさせることはないので、ファイルケース１４に取り付けられるＲＦＩＤタグ３０を一つ取り付けるだけで十分となりコストの低減を図れる。
【００５３】
次に、本発明を書庫１００に適用した例について、図４乃至図６に基づき説明する。図４に示されるように書庫１００は、解錠ランプ２１５’、施解錠装置２１７’、スピーカ２１６’が設けられた底板１８’、上部の天板１６’、左右の側面板１９’，１９’、後方の背面板１７’で構成された正面が開口された電磁遮蔽材から成る矩形体で形成され、上下の中央付近に位置に設けられた仕切棚板２５により、上棚収納部１０１および下棚収納部１０２が区画されて、正面に左右に摺動可能な３枚組のガラス扉１３を備えられている。
【００５４】
そして、上棚収納部１０１および下棚収納部１０２の両側面板１９’，１９’には、上棚支持ランプ１０３ａ，１０３ａ’を備えた上棚側部スペーサ１０３，１０３’と、下棚指示ランプ１０４ａ，１０４ａ’を備えた下棚側部スペーサ１０４，１０４’が取り付けられている。
【００５５】
これら上棚支持ランプ１０３ａ，１０３ａ’、下棚指示ランプ１０４ａ，１０４ａ’には、通信ケーブル２に接続され、中継装置１１、什器アンテナ１０、管理アンテナ９を介して、管理コンピュータ３に接続されており、管理コンピュータ３で一元的に上棚支持ランプ１０３ａ，１０３ａ’、下棚指示ランプ１０４ａ，１０４ａ’の点灯、消灯または点滅が制御可能になっている（図１参照）。
【００５６】
つまり、管理コンピュータ３からの制御データに基づいて、これら上棚支持ランプ１０３ａ，１０３ａ’および下棚指示ランプ１０４ａ，１０４ａ’の点灯消灯が制御される。例えば、該当するファイルケース１５が下棚収納部１０２に収納されている場合には、まず、解錠ランプ２１５’の点灯に基づいて書庫１００の場所が解除状態にあり、この書庫に目的の本あるいはファイルがあることが外部に報知される。
【００５７】
そこで、利用者はガラス扉１３下部に形成された右手掛部１３ａまたは左手掛部１３ｂを操作してガラス扉１３を開放すると、すでに下棚指示ランプ１０４ａ，１０４ａ’が点灯された状態になっており、容易に目的の本あるいはファイルを見つけることができる。
【００５８】
次に、書庫１００におけるＲＦＩＤアンテナとＲＦＩＤタグの関係を、下棚収納部１０２を示す図５および図６を用いてさらに詳述して説明する。なお、上棚収納部１０１の構造は下棚収納部１０２と略同様のため説明を省略する。
【００５９】
図５（ａ）に示されるように、左右の側面板１９’，１９’の収納部１０２側には、それぞれの側面板１９’，１９’に沿うように非電磁遮蔽材であるプラスチック製の樹脂材で形成された下棚側部スペーサ１０４，１０４’を、矢印に示される方向に向けて底板１８’に載置させ、接着材等で固着させる。
【００６０】
下棚側部スペーサ１０４，１０４’の収納部１０２側に向く側面には、上下所定間隔でリブ１０４ｂ，１０４ｂ’が前後方向に向けて複数（本実施例では４本）延設されており、下棚側部スペーサ１０４，１０４’の前端中央位置には下棚指示ランプ１０４ａ，１０４ａ’を備えた表示部１０４ｃ，１０４ｃ’が形成されている。そしてこの下棚側部スペーサ１０４，１０４’は所定間幅（Ｌ８）以上の厚みを有している（図３参照）。
【００６１】
この下棚指示ランプ１０４ａ，１０４ａ’には通信ケーブル２が接続され、下棚側部スペーサ１０４，１０４’内部を通り後端側から外方に向けて配線されている。また、背面板１７’には配線孔１７ａが形成されており、下棚側部スペーサ１０４，１０４’に接続された通信ケーブル２や、後述のＲＦＩＤアンテナ４６に接続された通信ケーブル２を背面板１７’内に配線可能になっている。
【００６２】
次いで、背面板１７’の収納部１０２側には、非電磁遮蔽材であるプラスチック製の樹脂材で形成された後部スペーサ５０を左右長手方向に向けて、矢印に示される方向に移動させながら、底板１８’に載置させ取り付け可能になっている。後部スペーサ５０の内部には、アンテナ収納空間５２が形成され、読出装置であるＲＦＩＤアンテナ４６が配設されている。
【００６３】
このＲＦＩＤアンテナ４６には接続部５３を介して通信ケーブル２が接続されている。また後部スペーサ５０の左右位置には、前後方向に貫通する配線孔５１，５１が形成され、下棚側部スペーサ１０４，１０４’から配線される通信ケーブル２をアンテナ収納空間５２内に配線可能になっている。
【００６４】
ＲＦＩＤアンテナ４６の取り付け位置について簡単に説明すると、後部スペーサ５０を背面板１７’に取り付けた際に、後部スペーサ５０におけるＲＦＩＤアンテナ４６の配設位置を、背面板１７’から前後方向に所定間隔（Ｌ５）離間させ、左右の側面板１９’，１９’から左右方向に所定間隔（Ｌ６）離間させ、底板１８’から上下方向に所定間隔（Ｌ７）離間させるように配置され取り付けられている。
【００６５】
なお、ＲＦＩＤアンテナ４６と電磁遮蔽材（背面板１７’、左右の側面板１９’，１９’、底板１８’）との間隔については、実施例１と同様に、少なくともＲＦＩＤアンテナと電磁遮蔽材との間隔を４０ｍｍ以上離間させることが好ましいことが実験的に検証されている。そこで、本実施例においては、ＲＦＩＤアンテナ４６と電磁遮蔽材との間隔を５０ｍｍとした。
【００６６】
これら後部スペーサ５０および下棚側部スペーサ１０４，１０４’を下棚収納部１０２に取り付けた完成図が図５（ｂ）に示されており、下棚収納部１０２にはファイルケース１５を収納可能になっている。
【００６７】
ファイルケース１５の側面一方側には、このファイルケース１５を下棚収納部１０２に収納させた際に、ＲＦＩＤタグ３０’が電磁遮蔽材である左右の側面板１９’，１９’の面と略同方向となり、且つ電磁遮蔽材である背面板１７’および底板１８’の面と略垂直方向となるように取り付けられている。
【００６８】
さらに、このＲＦＩＤタグ３０’の取付位置はファイルケース１５の底面から上方に向けて、所定間隔（Ｌ０）以上離間されるとともに、前後方向の中央位置に取り付けられている。このファイルケース１５は矢印に示されるように移動させ、下棚収納部１０２に収納可能になっている。
【００６９】
このように、ＲＦＩＤタグ３０’の取り付け位置をファイルケース１５の底面から所定間隔（Ｌ０）以上離間して配置したことで、電磁遮蔽材である底板１８’からの影響を受けることなく、ＲＦＩＤタグ３０’とＲＦＩＤアンテナ４６の送受信がより正確に行われる。なお、ＲＦＩＤタグと電磁遮蔽材（底板１８’）との間隔についても、４０ｍｍ以上離間させることが好ましいことが実験的に検証されているので、ＲＦＩＤタグ３０’と底板１８’の間隔（Ｌ０）を５０ｍｍとした。
【００７０】
つづいて、図６に示されるように、下棚収納部１０２にはＲＦＩＤタグ３０’が取り付けられたファイルケース１５が複数収納されている。この下棚収納部１０２のいずれの位置にファイルケース１５を収納させた場合であっても、左右の側面板１９’，１９’にそれぞれ取り付けられた下棚側部スペーサ１０４，１０４’によって、ファイルケース１５は電磁遮蔽材である左右の側面板１９’，１９’から、常に左右方向に所定間隔（Ｌ８）以上離間された状態で収納される構成になっている。なお、ＲＦＩＤタグ３０’と電磁遮蔽材（側面板１９’，１９’）との間隔についても、４０ｍｍ以上離間させることが好ましいことが実験的に検証されているので、ＲＦＩＤタグ３０’と側面板１９’，１９’との間隔（Ｌ８）を５０ｍｍとした。
【００７１】
このことから、ＲＦＩＤタグ３０’と略同方向をなす下棚収納部１０２における電磁遮蔽材である左右の側面板１９’，１９’に近接して、物品であるファイルケース１５が収納された場合であっても、非電磁遮蔽材からなる左右の下棚側部スペーサ１０４，１０４’によって、左右の側面板１９’，１９’とファイルケース１５との間が常に所定間隔（Ｌ８）以上離間されるため、読出装置であるＲＦＩＤアンテナ４６からの電磁波を左右の側面板１９’，１９’に影響されることなく、ファイルケース１５に設けられたＲＦＩＤタグ３０’に受信させ、ＲＦＩＤタグ３０からの電磁波をＲＦＩＤアンテナ４６に受信させることができる。
【００７２】
さらに、両下棚側部スペーサ１０４，１０４’の下棚収納部１０２側には、ファイルケース１５の前後の出し入れ方向に沿って、リブ１０４ｂ，１０４ｂ’が複数延設されているので、両下棚側部スペーサ１０４，１０４’に隣接して収納されるファイルケース１５は、両下棚側部スペーサ１０４，１０４’のリブ１０４ｂ，１０４ｂ’と当接するので、摩擦抵抗力を極力低減させてファイルケース１５を円滑に収納または取り出し可能となる。
【００７３】
しかも、両側部スペーサ１０４，１０４’に隣接して収納されたファイルケース１５と、両側部スペーサ１０４，１０４’の各リブ１０４ｂ，１０４ｂ’との間に、ファイルケース１５の出し入れ方向に沿った隙間が形成されるため、この間隙に指を入れ両側部スペーサ１０４，１０４’の隣に置かれたファイルケース１５の取り出しを容易に行なうことができる。
【００７４】
また、左右の側部スペーサ１０４，１０４’の上部に形成された表示部１０４ｃ，１０４ｃ’に表示装置である収納部指示ランプ１０４ａ，１０４ａ’を設けることで、ファイルケース１５が収納される場所を容易に特定することができるとともに、下棚収納部１０２の一部を占有する下棚側部スペーサ１０４，１０４’の間隔幅（Ｌ８）を無駄にすることなく有効活用できる。
【００７５】
以上の説明から、下棚収納部１０２にファイルケース１５を収納した場合でも、常にＲＦＩＤタグ３０’は、該ＲＦＩＤタグ３０’と同方向をなす側面板１９’，１９’から所定間隔（Ｌ８）以上離間され、ＲＦＩＤタグ３０’と略垂直方向をなす背面板１７’および底板１８’から所定間隔（Ｌ５，Ｌ０）以上離間されるので、ＲＦＩＤアンテナ４６とＲＦＩＤタグ３０’の電磁波の送受信に不具合を生じさせることはないので、ファイルケース１５に取り付けられるＲＦＩＤタグ３０’を一つ取り付けるだけで十分となりコストの低減を図れる。
【００７６】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、各側部スペーサにファイルケースの出し入れと同方向を向くリブを形成することで、ファイルケースの出し入れが円滑に行われることから好ましいが、このリブの大きさや本数は書棚１００や引き出し２０２の大きさや形状に合わせて、適宜変更をするようにすればよい。
【００７７】
また、上記実施例では、物品の収納部の場所を報知する手段として、各側部スペーサに設けられた指示ランプの点灯による表示効果によって、利用者は一目でファイルケースが収納される収納場所を視認できるようになっていることから好ましいが、本発明はこれに限定されるものではなく、什器に設けられたスピーカから発する音によって外部に報知を行うことで、利用者に物品の収納部の場所を特定させても良い。
【図面の簡単な説明】
【００７８】
【図１】本発明の実施例における書庫付き什器が適用された物品管理システムの構成を示すブロック図および什器群の斜視図である。
【図２】（ａ）は、什器から引き出された引き出しを示す組立分解斜視図であり、（ｂ）は、組み立て完成後の引き出しと、引き出しに収納される物品を示す斜視図である。
【図３】什器本体および引き出しの平面断面図である。
【図４】書庫の全体を示す正面図である。
【図５】（ａ）は、書庫の下棚収納部の組立分解斜視図であり、（ｂ）は、組み立て完成後の下棚収納部と、下棚収納部に収納される物品を示す斜視図である。
【図６】書庫の下棚収納部を示す平面断面図である。
【符号の説明】
【００７９】
１                    書庫付き什器
１ａ                  什器本体
２                    通信ケーブル（信号ケーブルと給電ケーブルを含む）
１１                  中継装置
１３                  ガラス扉
１４、１５            ファイルケース（物品）
１６                  天板（電磁遮蔽材）
１７                  背面板（電磁遮蔽材）
１７ａ                配線孔
１８                  底板（電磁遮蔽材）
１９                  側面板（電磁遮蔽材）
２１                  磁性体（電磁波干渉防止部材）
２５                  仕切棚板
３０、３０’          ＲＦＩＤタグ
４３                  アンテナユニット
４３ａ、４３ａ’      配線溝
４４、４４’          ＲＦＩＤアンテナ（読出装置）
４６                  ＲＦＩＤアンテナ（読出装置）
４９、４９’          側部スペーサ
４９ａ、４９ａ’      収納部指示ランプ（表示装置）
４９ｂ、４９ｂ’      リブ
４９ｃ、４９ｃ’      表示部
４９ｄ、４９ｄ’      配線溝
５０                  後部スペーサ
５１                  配線孔
５２                  アンテナ収納空間
５３                  接続部
１００                ラテラル式の書庫
１０１                上棚収納部（収納部）
１０２                下棚収納部（収納部）
１０３、１０３’      上棚側部スペーサ
１０３ａ、１０３ａ’  上棚指示ランプ（表示装置）
１０３ｂ、１０３ｂ’  リブ
１０３ｃ、１０３ｃ’  表示部
１０４、１０４’      下棚側部スペーサ
１０４ａ、１０４ａ’  下棚指示ランプ（表示装置）
１０４ｂ、１０４ｂ’  リブ
１０４ｃ、１０４ｃ’  表示部
２００                ラテラル式の什器
２００ａ              引き出し収納庫
２０１〜２０４        引き出し
２０２ａ              後面板（電磁遮蔽材）
２０２ｂ              左側面板（電磁遮蔽材）
２０２ｃ              右側面板（電磁遮蔽材）
２０２ｄ              前面板（電磁遮蔽材）
２０２ｅ              底板（電磁遮蔽材）
２１０                物品の収納部
２１０ａ              左収納部
２１０ｂ              右収納部
２１１〜２１４        引出し指示ランプ
２１５、２１５’      解錠ランプ
２１６、２１６’      スピーカ
２１７、２１７’      施解錠装置
【図１】
2006219249.tif 000003
【図２】
2006219249.tif 000004
【図３】
2006219249.tif 000005
【図４】
2006219249.tif 000006
【図５】
2006219249.tif 000007
【図６】
2006219249.tif 000008